(57)【要約】  検索キーワードを取得し（Ｓ３）、検索キーワードに応じて、スケール軸により表示可能な第１項目および第２項目を設定し（Ｓ４、Ｓ５）、検索キーワードと各項目のスケール軸の値とによる検索を行い、検索ヒットの有無を求め（Ｓ５）、第１項目のスケール軸および第２項目のスケール軸を２軸とした平面において、各項目のスケール軸の値に応じて、検索ヒットの有無の２次元分布をウェブページに表示するための表示データを生成する（Ｓ１１）。
2011149103.tif 000002
【特許請求の範囲】
【請求項１】
検索キーワードを取得する検索キーワード取得手段と、
前記検索キーワードに応じて、スケール軸により表示可能な第１項目および第２項目を設定する項目設定手段と、
前記検索キーワードと前記各項目のスケール軸の値とによる検索を行い、検索ヒットの有無を求める検索ヒット手段と、
前記第１項目のスケール軸および第２項目のスケール軸を２軸とした平面において、前記各項目のスケール軸の値に応じて、前記検索ヒットの有無の２次元分布をウェブページに表示するための表示データを生成する表示データ生成手段と、
を備えたことを特徴とする情報処理装置。
【請求項２】
請求項１に記載の情報処理装置において、
前記項目設定手段が、前記検索キーワードに応じた第３項目を設定し、
前記検索ヒット手段が、前記第１項目のスケール軸の値、第２項目のスケール軸の値、および、前記第３項目の内容に応じて検索ヒットの有無を求め、
前記表示データ生成手段が、前記検索ヒットの有無の２次元分布を前記第３項目に応じて区分けして表示するための表示データを生成することを特徴とする情報処理装置。
【請求項３】
請求項１または請求項２に記載の情報処理装置において、
前記第１項目および第２項目のスケール軸の各値を取得するスケール軸値取得手段と、
前記平面において、前記各スケール軸の値に応じて設定される領域内の前記第１項目および第２項目のスケール軸の値と、前記検索キーワードとによる検索を行う検索手段と、を更に備え、
前記表示データ生成手段が、前記検索手段の検索結果をウェブページに表示するための表示データを生成することを特徴とする情報処理装置。
【請求項４】
請求項３に記載の情報処理装置において、
前記スケール軸値取得手段が、前記平面の４点を取得するために、前記第１項目のスケール軸における２つのスケール軸の値を取得し、当該２つの各スケール軸の値に対して、前記第２項目のスケール軸における２つのスケール軸の値を取得し、
前記検索手段が、前記取得したスケール軸の値から設定される前記４点により規定される領域内における前記第１項目および第２項目のスケール軸の値と、前記検索キーワードとによる検索を行うことを特徴とする情報処理装置。
【請求項５】
請求項１から請求項４のいずれか１項に記載の情報処理装置において、
前記項目設定手段が、前記項目をスケール軸により表示可能な他の項目に変更して設定し、
前記検索ヒット手段が、前記検索キーワードと前記変更された項目のスケール軸の値とによる検索を行い、検索ヒットの有無を求めることを特徴とする情報処理装置。
【請求項６】
請求項１から請求項５のいずれか１項に記載の情報処理装置において、
前記検索ヒット手段が、前記検索キーワードと前記各項目のスケール軸の値とによる検索を行い、検索ヒット件数を求め、
前記表示データ生成手段が、前記各項目のスケール軸の値に応じて、前記検索ヒット件数の２次元分布をウェブページに表示するための表示データを生成することを特徴とする情報処理装置。
【請求項７】
情報処理装置が情報処理をする情報処理方法において、
検索キーワードを取得する検索キーワード取得ステップと、
前記検索キーワードに応じて、スケール軸により表示可能な第１項目および第２項目を設定する項目設定ステップと、
前記検索キーワードと前記各項目のスケール軸の値とによる検索を行い、検索ヒットの有無を求める検索ヒットステップと、
前記第１項目のスケール軸および第２項目のスケール軸を２軸とした平面において、前記各項目のスケール軸の値に応じて、前記検索ヒットの有無の２次元分布をウェブページに表示するための表示データを生成する表示データ生成ステップと、
を有することを特徴とする情報処理方法。
【請求項８】
コンピュータに、
検索キーワードを取得する検索キーワード取得手段、
前記検索キーワードに応じて、スケール軸により表示可能な第１項目および第２項目を設定する項目設定手段、
前記検索キーワードと前記各項目のスケール軸の値とによる検索を行い、検索ヒットの有無を求める検索ヒット手段、および、
前記第１項目のスケール軸および第２項目のスケール軸を２軸とした平面において、前記各項目のスケール軸の値に応じて、前記検索ヒットの有無の２次元分布をウェブページに表示するための表示データを生成する表示データ生成手段として機能させることを特徴とする情報処理プログラム。
【請求項９】
コンピュータに、
検索キーワードを取得する検索キーワード取得手段、
前記検索キーワードに応じて、スケール軸により表示可能な第１項目および第２項目を設定する項目設定手段、
前記検索キーワードと前記各項目のスケール軸の値とによる検索を行い、検索ヒットの有無を求める検索ヒット手段、および、
前記第１項目のスケール軸および第２項目のスケール軸を２軸とした平面において、前記各項目のスケール軸の値に応じて、前記検索ヒットの有無の２次元分布をウェブページに表示するための表示データを生成する表示データ生成手段として機能させることを特徴とする情報処理プログラムを記録したコンピュータ読み取り可能な記録媒体。
【発明の詳細な説明】
【技術分野】
【０００１】
本発明は、検索のための情報処理を行う情報処理装置、情報処理方法、情報処理プログラム、および、記録媒体の技術分野に関する。
【背景技術】
【０００２】
近年、インターネットにおける検索技術が向上し、検索対象として、文章の他に、画像や動画等にまで広がってきている。例えば、特許文献１では、データベースからファイルを検索する場合、画像等の情報（ファイル）に対応付けられたメタデータから検索範囲を決定できると共に、クエリに含まれる数値情報の単位に基づいて検索範囲の粒度を特定する情報検索装置が開示されている。具体的には、検索範囲を特定するためのクエリとして、第１の数値とキーワードとを入力し、第１の数値の年別、月別等の粒度を特定し、キーワードに対応する粒度の第２の数値を取得し、第１と第２の数値から定まる検索範囲に含まれるファイルを、複数のファイルから検索する。
【先行技術文献】
【特許文献】
【０００３】
【特許文献１】特開２０１０−１０８３７８号公報
【発明の概要】
【発明が解決しようとする課題】
【０００４】
しかしながら、上記技術では、画像等を検索する際、入力するキーワードやキーワードの数によっては検索結果がゼロ件の場合があり、更に他のキーワードを入力し、検索を繰り返す必要があった。【０００５】
本発明は、このような問題に鑑みてなされたものであり、インターネット等で情報を検索する際に、ユーザが効率よく検索できる情報処理装置、情報処理方法、情報処理プログラム、および、記録媒体を提供することを目的とする。
【課題を解決するための手段】
【０００６】
上記課題を解決するために、請求項１に記載の発明は、検索キーワードを取得する検索キーワード取得手段と、前記検索キーワードに応じて、スケール軸により表示可能な第１項目および第２項目を設定する項目設定手段と、前記検索キーワードと前記各項目のスケール軸の値とによる検索を行い、検索ヒットの有無を求める検索ヒット手段と、前記第１項目のスケール軸および第２項目のスケール軸を２軸とした平面において、前記各項目のスケール軸の値に応じて、前記検索ヒットの有無の２次元分布をウェブページに表示するための表示データを生成する表示データ生成手段と、を備えたことを特徴とする。【０００７】
請求項２に記載の発明は、請求項１に記載の情報処理装置において、前記項目設定手段が、前記検索キーワードに応じた第３項目を設定し、前記検索ヒット手段が、前記第１項目のスケール軸の値、第２項目のスケール軸の値、および、前記第３項目の内容に応じて検索ヒットの有無を求め、前記表示データ生成手段が、前記検索ヒットの有無の２次元分布を前記第３項目に応じて区分けして表示するための表示データを生成することを特徴とする。【０００８】
請求項３に記載の発明は、請求項１または請求項２に記載の情報処理装置において、前記第１項目および第２項目のスケール軸の各値を取得するスケール軸値取得手段と、前記平面において、前記各スケール軸の値に応じて設定される領域内の前記第１項目および第２項目のスケール軸の値と、前記検索キーワードとによる検索を行う検索手段と、を更に備え、前記表示データ生成手段が、前記検索手段の検索結果をウェブページに表示するための表示データを生成することを特徴とする。【０００９】
請求項４に記載の発明は、請求項３に記載の情報処理装置において、前記スケール軸値取得手段が、前記平面の４点を取得するために、前記第１項目のスケール軸における２つのスケール軸の値を取得し、当該２つの各スケール軸の値に対して、前記第２項目のスケール軸における２つのスケール軸の値を取得し、前記検索手段が、前記取得したスケール軸の値から設定される前記４点により規定される領域内における前記第１項目および第２項目のスケール軸の値と、前記検索キーワードとによる検索を行うことを特徴とする。【００１０】
請求項５に記載の発明は、請求項１から請求項４のいずれか１項に記載の情報処理装置において、前記項目設定手段が、前記項目をスケール軸により表示可能な他の項目に変更して設定し、前記検索ヒット手段が、前記検索キーワードと前記変更された項目のスケール軸の値とによる検索を行い、検索ヒットの有無を求めることを特徴とする。【００１１】
請求項６に記載の発明は、請求項１から請求項５のいずれか１項に記載の情報処理装置において、前記検索ヒット手段が、前記検索キーワードと前記各項目のスケール軸の値とによる検索を行い、検索ヒット件数を求め、前記表示データ生成手段が、前記各項目のスケール軸の値に応じて、前記検索ヒット件数の２次元分布をウェブページに表示するための表示データを生成することを特徴とする。【００１２】
請求項７に記載の発明は、情報処理装置が情報処理をする情報処理方法において、検索キーワードを取得する検索キーワード取得ステップと、前記検索キーワードに応じて、スケール軸により表示可能な第１項目および第２項目を設定する項目設定ステップと、前記検索キーワードと前記各項目のスケール軸の値とによる検索を行い、検索ヒットの有無を求める検索ヒットステップと、前記第１項目のスケール軸および第２項目のスケール軸を２軸とした平面において、前記各項目のスケール軸の値に応じて、前記検索ヒットの有無の２次元分布をウェブページに表示するための表示データを生成する表示データ生成ステップと、を有することを特徴とする。【００１３】
請求項８に記載の発明は、コンピュータに、検索キーワードを取得する検索キーワード取得手段、前記検索キーワードに応じて、スケール軸により表示可能な第１項目および第２項目を設定する項目設定手段、前記検索キーワードと前記各項目のスケール軸の値とによる検索を行い、検索ヒットの有無を求める検索ヒット手段、および、前記第１項目のスケール軸および第２項目のスケール軸を２軸とした平面において、前記各項目のスケール軸の値に応じて、前記検索ヒットの有無の２次元分布をウェブページに表示するための表示データを生成する表示データ生成手段として機能させることを特徴とする。【００１４】
請求項９に記載の発明は、コンピュータに、検索キーワードを取得する検索キーワード取得手段、前記検索キーワードに応じて、スケール軸により表示可能な第１項目および第２項目を設定する項目設定手段、前記検索キーワードと前記各項目のスケール軸の値とによる検索を行い、検索ヒットの有無を求める検索ヒット手段、および、前記第１項目のスケール軸および第２項目のスケール軸を２軸とした平面において、前記各項目のスケール軸の値に応じて、前記検索ヒットの有無の２次元分布をウェブページに表示するための表示データを生成する表示データ生成手段として機能させることを特徴とする情報処理プログラムを記録する。
【発明の効果】
【００１５】
本発明によれば、取得した検索キーワードに応じて、スケール軸により表示可能な第１項目および第２項目を設定し、検索キーワードと各項目のスケール軸の値とによる検索を行い、検索ヒットの有無を求め、第１項目のスケール軸および第２項目のスケール軸を２軸とした平面において、各項目のスケール軸の値に応じて、検索ヒットの有無の２次元分布をウェブページに表示するための表示データを生成することにより、ユーザが検索キーワードを指定すると、検索キーワードに応じた項目が設定され、項目のスケール軸の値に応じた検索ヒットの有無の様子が２次元的に表示されるため、インターネット等で情報を検索する際に、各項目のスケール軸の値に応じた検索ヒットの有無の様子を見ながら検索の絞り込みができ、ユーザが効率よく検索できる。
【図面の簡単な説明】
【００１６】
【図１】本発明の一実施形態に係る情報処理システムの概要構成例を示す模式図である。
【図２】図１の情報処理サーバの概要の一例を示すブロック図である。
【図３】図２の項目データベースのデータ構造の一例を示す模式図である。
【図４】図２の項目データベースのデータ構造の一例を示す模式図である。
【図５】図１の端末の概要構成の一例を示すブロック図である。
【図６】図１の情報処理システムにおける動作例を示すシーケンス図である。
【図７】図１の端末に表示されるウィンドウ画面の一例を示す模式図である。
【図８】図１の端末に表示されるウィンドウ画面の一例を示す模式図である。
【図９】図１の情報処理システムにおける検索の動作例を示すシーケンス図である。
【図１０】図１の端末に表示される絞り込み検索のウィンドウ画面の一例を示す模式図である。
【図１１】図１の端末に表示される絞り込み検索のウィンドウ画面の一例を示す模式図である。
【図１２】図１の端末に表示される絞り込み検索のウィンドウ画面の一例を示す模式図である。
【図１３】図１の端末に表示されるウィンドウ画面の変形例を示す模式図である。
【発明を実施するための形態】
【００１７】
以下、図面を参照して本発明の実施形態について説明する。
【００１８】
［１．情報処理システムの構成および機能概要］
【００１９】
まず、本発明の一実施形態に係る情報処理システムの概要について、図１を用いて説明する。
【００２０】
図１は、本実施形態に係る情報処理システム１の概要構成例を示す模式図である。
【００２１】
図１に示すように、情報処理システム１は、ユーザに対して検索の支援を行うために、ウェブサイト５等の情報の解析を行う情報処理サーバ（情報処理装置の一例）１０と、検索の操作をして検索結果を閲覧するユーザの端末２０と、を備えている。
【００２２】
情報処理サーバ１０と、端末２０と、ウェブサイト５とは、ネットワーク３により接続され、例えば、通信プロトコルにＴＣＰ／ＩＰ等を用いて相互にデータの送受信が可能になっている。なお、ネットワーク３は、例えば、インターネット、専用通信回線（例えば、ＣＡＴＶ（Community Antenna Television）回線）、移動体通信網（基地局等を含む）、および、ゲートウェイ等により構築されている。なお、ウェブサイト５の他に情報の解析対象として、情報処理サーバ１０とローカルエリアネットワーク等により接続されたショッピングサーバ（図示せず）が管理するショッピングサイト等のウェブサイトでもよい。
【００２３】
［２．サーバ等の構成および機能］
（２．１  情報処理サーバ１０の構成および機能）
次に、情報処理サーバ１０の構成および機能について、図２から図４を用いて説明する。
【００２４】
図２は、情報処理サーバ１０の概要の一例を示すブロック図である。図３および図４は、項目データベースのデータ構造の一例を示す模式図である。
【００２５】
図２に示すように、コンピュータとして機能する情報処理サーバ１０は、通信部１１と、記憶部１２と、入出力インターフェース部１３と、システム制御部１４を備えている。そして、システム制御部１４と入出力インターフェース部１３とは、システムバス１５を介して接続されている。
【００２６】
通信部１１は、ネットワーク３に接続してウェブサイト５や端末２０等との通信状態を制御し、さらに、ローカルエリアネットワークに接続して、ローカルエリアネットワーク上のサーバとデータの送受信を行う。
【００２７】
記憶部１２は、例えば、ハードディスクドライブ等により構成されており、オペレーティングシステムおよびサーバプログラムや、端末２０等にダウンロードして実行させるプログラム等の各種プログラムや、データ等を記憶する。なお、各種プログラムは、例えば、他のサーバ装置等からネットワーク３を介して取得されるようにしてもよいし、記録媒体に記録されてドライブ装置を介して読み込まれるようにしてもよい。
【００２８】
また、記憶部１２は、端末２０から受け付けた検索キーワードに応じて、スケール軸により表示可能な項目を設定するための項目を記憶する項目データベース（以下「項目ＤＢ」とする。）１２ａと、項目をスケール軸として解析結果を表示するために、ユーザが操作可能なスケールバーに関する情報を記憶するスケールバーデータベース（以下「スケールバーＤＢ」とする。）１２ｂと、ウェブ検索に必要な情報を記憶する検索データベース（以下「検索ＤＢ」とする。）１２ｃ等を有している。
【００２９】
項目ＤＢ１２ａは、図３に示すように、各検索キーワードが、複数の項目に関連付けられたテーブルを有している。例えば、”車”という検索キーワードには、項目１に”年代”、項目２に”価格”、項目３に”車種”、項目４に”車の色”、項目５に”ｘｘｘ”が予め割り当てられている。”建物”という検索キーワードには、項目１に”年代”、項目２に”価格”が予め割り当てられている。”携帯電話”という検索キーワードには、項目１に携帯電話の”年代”、項目２に携帯電話を購入した”年齢”、項目３に携帯電話の”価格”が予め割り当てられている。
【００３０】
さらに、項目ＤＢ１２ａは、図４に示すように、各項目がスケール軸により表示可能か否かのテーブルを有している。スケール軸上に展開する項目には、”１”が割り当てられている。なお、各検索キーワードに対して、項目のデフォルトとして”年代”と”価格”とを予め設定しておいてもよい。スケール軸により表示可能な項目のレンジおよび項目の増分が記憶されている。例えば、項目が”年代”の場合、スケールのレンジが、項目の最大値（１９６０年）〜最小値（２０１１年）と設定され、増分が”１年”と設定されている。
【００３１】
なお、項目のレンジは、各項目の最大値、最小値から設定されてもよいし、予め設定されてもよい。例えば、表示させるためのレンジとして”１９７０年〜２０１０年”としてもよい。また、項目の増分のデータは、項目が価格の場合、価格帯のデータでもよい。例えば、”・・・、１０万円〜１９万円、２０万〜２９万、３０万〜３９万、・・・”でもよい。
【００３２】
ここで、スケール軸により表示可能な項目とは、例えば、項目が”年代”の場合、”・・・、２０００年、２００１年、２００２年”、または、項目が”価格”の場合、”・・・、１０万円、１１万円、１２万円、・・・” のように、値の大きさの順に１軸上に展開可能な項目である。一方、スケール軸上に展開する項目に、”０”が割り当てられた項目”車の色”や”車種”の場合、これらの項目は、値の大きさの順に１軸上に展開可能できない項目である。
【００３３】
スケールバーＤＢ１２ｂには、項目のスケール軸の値によって検索対象の解析結果を指定するためのスケールバーの情報等が記憶されている。例えば、スケールバーＤＢ１２ｂには、端末２０の表示部２３に表示させるスケールバーやノブの画像データが記憶されている。
【００３４】
また、検索ＤＢ１２ｃには、ウェブサイト５等から取得したデータからインデクサーにより生成されたインデックス情報や、スニペット等が記憶されている。また、検索ＤＢ１２ｃは、車や住宅などの中古市場を検索するためのデータベースや、携帯電話等の商品の購入履歴を検索するためのデータベースでもよい。
【００３５】
次に、入出力インターフェース部１３は、通信部１１および記憶部１２とシステム制御部１４との間のインターフェース処理である。
【００３６】
システム制御部１４は、ＣＰＵ（Central Processing Unit）１４ａ、ＲＯＭ（Read Only Memory）１４ｂ、ＲＡＭ（Random Access Memory）１４ｃ等により構成されている。システム制御部１４は、ＣＰＵ１４ａがＲＯＭ１４ｂや記憶部１２に記憶された各種プログラムを読み出し実行することにより、端末２０等からの要求に基づき、Ｗｅｂページの送信を行う。
【００３７】
（２．２  端末２０の構成および機能）
【００３８】
次に、端末２０の構成および機能について、図５を用いて説明する。
図３は、端末２０の概要構成の一例を示すブロック図である。
【００３９】
図５に示すように、コンピュータとして機能する端末２０は、例えば、パーソナルコンピュータや携帯型無線電話機（携帯電話）やＰＤＡ等の携帯端末であり、通信部２１と、記憶部２２と、表示部２３と、操作部２４と、入出力インターフェース部２５と、システム制御部２６とを備えている。そして、システム制御部２６と入出力インターフェース部２５とは、システムバス２７を介して接続されている。
【００４０】
通信部２１は、ネットワーク３を通して、情報処理サーバ１０等と通信を制御する。なお、端末２０が携帯型無線電話機の場合、ネットワーク３の移動体通信網に接続するために、通信部２１は、無線通信機能を有する。
【００４１】
記憶部２２は、例えば、ハードディスクドライブ等からなり、オペレーティングシステム、Ｗｅｂブラウザプログラム等を記憶する。
【００４２】
表示部２３は、例えば、液晶表示素子またはＥＬ（Electro Luminescence）素子等によって構成されている。表示部２３には、マウスの操作により移動するポインタや、情報処理サーバ１０から取得した、検索結果のＷｅｂページ等が表示される。
【００４３】
操作部２４は、例えば、キーボードおよびマウス等によって構成されている。操作部２４により、表示部２３上に表示されたスケールバーが操作される。
【００４４】
入出力インターフェース部２５は、通信部２１および記憶部２２とシステム制御部２６とのインターフェースである。
【００４５】
［３．情報処理システムの動作］
次に、本実施形態に係る情報処理システム１の動作について図を用いて説明する。
【００４６】
（３．１  情報処理システム動作）
まず、情報処理システムの動作として、項目のスケール軸の値に応じた検索ヒット件数を表示した検索可能領域を作成する動作について図６から図８を用いて説明する。
図６は、情報処理システム１における動作例を示すシーケンス図である。図７および図８は、端末２０に表示されるウィンドウ画面の一例を示す模式図である。
【００４７】
図６に示すように、端末２０は、検索キーワードの入力を受け付ける（ステップＳ１）。具体的には、端末２０のシステム制御部２６は、ユーザが検索したい対象（例えば”車”や”中古車”）の検索キーワードを、操作部２４を通して受け付ける。なお、”車”の代わりに、自動車メーカ名等でもよい。
【００４８】
次に、端末２０は、検索クエリを送信する（ステップＳ２）。具体的には、端末２０のシステム制御部２６は、検索キーワードに基づき、検索クエリを作成して、情報処理サーバ１０に送信する。
【００４９】
次に、情報処理サーバ１０は、検索キーワードを取得する（ステップＳ３）。具体的には、情報処理サーバ１０のシステム制御部１４は、端末２０から検索クエリを取得し、検索クエリから検索キーワードを取り出す。このように情報処理サーバ１０のシステム制御部１４は、検索キーワードを取得する検索キーワード取得手段の一例として機能する。
【００５０】
次に、情報処理サーバ１０は、複数のスケール軸の項目を設定する（ステップＳ４）。具体的には、情報処理サーバ１０のシステム制御部１４は、取得した検索キーワードを、項目ＤＢ１２ａのテーブル１２ｔを参照して、検索キーワードに応じた項目を設定する。例えば、検索キーワードが”車”や”中古車”の場合、情報処理サーバ１０のシステム制御部１４は、項目として、”年代”、”価格”、”車種”、”色”、および、”ｘｘｘ”を取得する。このように情報処理サーバ１０のシステム制御部１４は、検索キーワードに応じて、スケール軸により表示可能な項目を設定する項目設定手段の一例として機能する。
【００５１】
次に、情報処理サーバ１０は、２つのスケール軸の項目を決定する（ステップＳ５）。具体的には、情報処理サーバ１０のシステム制御部１４は、項目ＤＢ１２ａのテーブル１２ｓを参照して、スケール軸により表示可能な第１項目として”年代”、スケール軸により表示可能な第２項目を設定する。また、情報処理サーバ１０のシステム制御部１４は、検索キーワードに応じた第３項目の一例として、スケール軸により表示可能の値が”０”（スケール軸により表示不可）の”車種”および”色”を設定する。このように情報処理サーバ１０のシステム制御部１４は、検索キーワードに応じて、スケール軸により表示可能な第１および第２項目を設定する項目設定手段、および、検索キーワードに応じた第３項目を設定する項目設定手段の一例として機能する。
【００５２】
次に、情報処理サーバ１０は、検索キーワードと各項目スケール軸の値とによる検索ヒット件数を求める（ステップＳ６）。具体的には、情報処理サーバ１０のシステム制御部１４は、検索ＤＢ１２ｃを参照して、検索キーワードと、各項目と、各スケール値との論理積により検索を行い、検索ヒット件数を求める。例えば、”車  １９６０年  １０万円”を含む検索クエリにより、情報処理サーバ１０のシステム制御部１４は、検索ヒット件数を求める。なお、スケール軸の値として価格帯でもよく、”車  １９６０年  １０万円から１９万円”でもよい。このとき、情報処理サーバ１０のシステム制御部１４は、価格が”１０万円から１９万円”に属する情報を取得できる検索機能を有する。
【００５３】
そして、情報処理サーバ１０のシステム制御部１４は、第１項目（”年代”）および第２項目（”価格”）の各項目のスケール軸の値に対して、項目ＤＢ１２ａのテーブル１２ｓのスケールのレンジの値を参照して、レンジの最小値から最大値まで、各スケール軸の値を所定値ずつ増加させて検索を行う。例えば、情報処理サーバ１０のシステム制御部１４は、”車  １９６０年  １０万円”の次は、”車  １９６年  １１万円”により検索を行う。なお、情報処理サーバ１０のシステム制御部１４は、価格帯の場合、”車  １９６０年  １０万円から１９万円”の次は、”車  １９６０年  ２０万円から２９万円”により検索を行ってもよい。また、スケールのレンジとして、ユーザが指定したレンジでもよい。
【００５４】
次に、情報処理サーバ１０は、検索ヒット件数が所定数以上である検索可能領域を求める（ステップＳ７）。具体的には、情報処理サーバ１０のシステム制御部１４は、検索ヒット件数が所定の件数（例えば、ゼロ件、１０件等）以上である、第１項目のスケール軸の値および第２項目のスケール軸の値の組みを求める。そして、情報処理サーバ１０のシステム制御部１４は、第１項目のスケール軸をｘ軸方向、第２項目のスケール軸をｙ軸方向の２軸とした平面において、第１項目のスケール軸をｘ軸方向、第２項目のスケール軸をｙ軸方向とし、検索ヒット件数が所定の件数以上である、第１項目のスケール軸の値および第２項目のスケール軸の値の組み（ｘ＝第１項目のスケール軸の値，ｙ＝第２項目のスケール軸の値）が示す検索可能領域を求める。例えば、情報処理サーバ１０のシステム制御部１４は、図７に示すような検索可能領域４０を求める。
【００５５】
なお、ステップＳ６およびステップＳ７において、情報処理サーバ１０のシステム制御部１４は、検索ヒット件数を求める代わりに、検索ヒットの有無のみを求めてもよい。このように情報処理サーバ１０のシステム制御部１４は、検索キーワードと各項目のスケール軸の値とによる検索を行い、検索ヒット件数の有無を求める検索ヒット手段の一例として機能する。また、情報処理サーバ１０のシステム制御部１４は、検索キーワードと各項目のスケール軸の値とによる検索を行い、検索ヒット件数を求める検索ヒット手段の一例として機能する。
【００５６】
さらに、情報処理サーバ１０のシステム制御部１４は、検索可能領域４０内における検索ヒット件数の分布を求める。例えば、情報処理サーバ１０のシステム制御部１４は、検索ヒット件数がゼロの領域４１を求める。そして、検索ヒット件数に応じた領域４２および領域４３を求める。なお、領域４３が検索ヒット件数が最も多い領域である。また、情報処理サーバ１０のシステム制御部１４は、第１項目（年代）の値を、例えば、下限値１９７３年から上限値１９９８年まで１年ずつ増加させ、第１項目の各年代における第２項目（値段）の検索ヒット件数の最大値を求めておく。
【００５７】
次に、情報処理サーバ１０は、検索可能領域の第１項目のスケール軸の方向の上限値・下限値を求める（ステップＳ８）。具体的には、情報処理サーバ１０のシステム制御部１４は、検索可能領域における第１項目のスケール軸の方向（ｘ軸方向）の上限値、下限値を求める。例えば、情報処理サーバ１０のシステム制御部１４は、検索でヒットした車の年代の上限値（例えば、１９９８年）と下限値（例えば、１９７３年）とを求める。なお、ユーザが、この上・下限値を設定してもよい。
【００５８】
次に、情報処理サーバ１０は、第１項目のスケール軸の方向の上・下限値における第２項目のスケール軸方向の上・下限値を求める（ステップＳ９）。具体的には、情報処理サーバ１０のシステム制御部１４は、第１項目のスケール軸の方向の上限値における第２項目のスケール軸方向（ｙ軸方向）の上・下限値（例えば、２００万、３８０万）を求め、第１項目のスケール軸の方向の下限値における第２項目のスケール軸方向（ｙ軸方向）の上・下限値（例えば、１０万、１００万）を求める。
【００５９】
次に、情報処理サーバ１０は、スケールバーおよびノブを設定する（ステップＳ１０）。具体的には、情報処理サーバ１０のシステム制御部１４は、図７に示すように、第１項目のスケールバー５０と、ノブ６０とを設定する。ノブ６０は、スケールバー５０上において、第１項目のスケール軸の方向の上限値および下限値と、これらの上・下限値の中間付近とに初期設定される。例えば、検索可能領域４０において、第１項目（年代）のスケール軸の方向の上限値は、”１９９８年”、下限値は、”１９７３年”、上・下限値の中間付近が”１９８５年”であり、各ノブ６０が、スケールバー５０上において、”１９７３年”、”１９８５年”および ”１９９８年”に初期設定される。
【００６０】
そして、情報処理サーバ１０のシステム制御部１４は、第２項目のスケールバー５１を、第１項目のスケール軸の方向の上・下限値の中間付近（例えば、”１９８５年”）に設定し、第１項目のスケール軸の方向の下限値（例えば、”１９７３年”）に第２項目のスケールバー５２を設定し、第１項目のスケール軸の方向の上限値（例えば、”１９９８年”）に第２項目のスケールバー５３を設定する。なお、各スケールバー５１、５２、５３はノブ６０を通る位置に設定されている。
【００６１】
そして、スケールバー５１のノブ６１は、第２項目のスケール軸の方向の上限値（例えば、”￥４００万”）に初期設定され、スケールバー５１のノブ６２は、第２項目のスケール軸の方向の下限値（例えば、”￥３０万”）に初期設定される。また、スケールバー５２のノブ６１は、第１項目のスケール軸の方向の下限値における第２項目のスケール軸の方向の上限値（例えば、￥１００万）に初期設定され、スケールバー５２のノブ６２は、第１項目のスケール軸の方向の下限値における第２項目のスケール軸の方向の下限値（例えば、￥１０万円）に初期設定される。また、スケールバー５３のノブ６１は、第１項目のスケール軸の方向の上限値における第２項目のスケール軸の方向の上限値（例えば、￥３８０万円）に初期設定され、スケールバー５３のノブ６２は、第１項目のスケール軸の方向の上限値における第２項目のスケール軸の方向の下限値（例えば、￥２００万円）に初期設定される。
【００６２】
なお、スケールバー５１、５２、５３上においてノブ６１、６２を、ユーザが操作部２４を使用して移動させることにより、各スケールバー５１、５２、５３において、ノブが示すスケール軸の値が指定される。また、ユーザが操作部２４を使用してノブ６０を動かすことにより、第２項目のスケールバー５１と、スケールバー５１、５２とが第１項目のスケール軸の方向に移動する。
【００６３】
次に、情報処理サーバ１０は、検索可能領域の表示データを生成する（ステップＳ１１）。具体的には、情報処理サーバ１０のシステム制御部１４は、ウェブページ３０のような検索可能領域４０、スケールバー５０、５１、５２、５３、および、ノブ６０、６１、６２を表示するための表示データを生成する。なお、スケールバーおよびノブの画像データはスケールバーＤＢ１２ｂから取得する。
【００６４】
このように、情報処理サーバ１０のシステム制御部１４は、第１項目のスケール軸および第２項目のスケール軸を２軸とした平面において、各項目のスケール軸の各値に応じて、検索ヒット件数の有無の２次元分布をウェブページに表示するための表示データを生成する表示データ生成手段の一例として機能する。
【００６５】
次に、情報処理サーバ１０は、表示データを送信する（ステップＳ１２）。具体的には、情報処理サーバ１０のシステム制御部１４は、ウェブページ３０を端末２０に表示させるための表示データを端末２０に送信する。なお、情報処理サーバ１０は、表示データの他に、第１項目の各年代における第２項目（価格）の検索ヒット件数の最大値、検索キーワード、各項目等の情報も送信する。
【００６６】
次に、端末２０は、検索可能領域を表示する（ステップＳ１３）。具体的には、端末２０のシステム制御部２６は、情報処理サーバ１０から受信した表示データを表示部２３に表示させる。例えば、図７に示すように、端末２０のシステム制御部２６は、表示データとしてウェブページ３０を表示させる。
【００６７】
なお、ユーザが第２項目のスケールバー５１を操作部２４により、第１項目（年代）のスケール軸方向に移動させると、スケールバー５１が示す年代において、検索ヒット件数が最大となる価格の位置に、印”×”がスケールバー５１上に表示される。この場合、ユーザは各年代における検索ヒット件数が高い価格が分かる。
【００６８】
また、図７に示すように、ユーザは操作部２４により、項目の軸を設定するラジオボタンを指定することにより、例えば、スケール軸により表示可能な項目”年代”および”ｘｘｘ”が選択されると、端末２０のシステム制御部２６は、選択された項目の情報を、同じ検索キーワードと共に情報処理サーバ１０に送信する。そして、情報処理サーバ１０のシステム制御部１４は、ステップＳ５において、スケール軸により表示可能な２つの項目として、項目”年代”および”ｘｘｘ”を設定し、検索可能領域を求めてもよい。このように、情報処理サーバ１０のシステム制御部１４は、項目をスケール軸により表示可能な他の項目に変更して設定する項目設定手段の一例として機能する。また、検索キーワードと変更された項目のスケール軸の値とによる検索を行い、検索ヒットの有無を求める検索ヒット手段の一例として機能する。
【００６９】
また、スケール表示可能な項目以外として、ユーザが操作部２４により、第３項目の一例である項目”色”の所定の値を指定した場合、図８に示すように、項目”色”の値に応じて検索可能領域４０を区分けした表示データが表示される。このような表示データを表示させるため、情報処理サーバ１０のシステム制御部１４は、ステップＳ６において、車の色が緑の場合、検索キーワードと、各項目と、各スケール値と、”車の色  緑”との論理積により検索を行い、検索ヒット件数の有無を求め、領域４０ａを求める。そして、情報処理サーバ１０のシステム制御部１４は、車の色が赤の場合は、検索キーワードと、各項目と、各スケール値と、”車の色  赤”との論理積により検索を行い、領域４０ｂを求める。
【００７０】
このように、情報処理サーバ１０のシステム制御部１４は、検索キーワードに応じた第３項目を設定する項目設定手段、第１項目のスケール軸の値、第２項目のスケール軸の値、および、第３項目の内容に応じて検索ヒットの有無を求める検索ヒット手段、および、検索ヒットの有無または検索ヒット件数の２次元の分布を第３項目に応じて区分けして表示するための表示データを生成する表示データ生成手段の一例として機能する。
【００７１】
（３．２  検索動作）
次に、スケールバー表示のサブルーチンについて図９および図１０を用いて説明する。
図９は、情報処理システム１における検索の動作例を示すシーケンス図である。図１０は、端末２０に表示される絞り込み検索のウィンドウ画面の一例を示す模式図である。
【００７２】
図９に示すように、端末２０は、検索領域を表示する（ステップＳ２０）。具体的には、図７に示す検索モードボタンが指定された場合、端末２０のシステム制御部２６は、図１０に示すように、第１項目のスケール軸の方向の下限値に対するスケールバー５２のノブ６１およびノブ６２が示すスケール軸の値と、第１項目のスケール軸の方向の上限値に対するスケールバー５３のノブ６１およびノブ６２が示すスケール軸の値（合計４点）と、により囲まれる検索領域４５を表示部２３に表示させる。
【００７３】
次に、端末２０は、ノブの操作情報を受け付ける（ステップＳ２１）。具体的には、端末２０のシステム制御部２６は、ユーザが操作部２４を使用してノブ６０を移動させてスケールバー５２、５３を移動させ、また、ユーザが操作部２４を使用してノブ６１、６２を移動させるノブの操作情報を、操作部２４から受け付ける。
【００７４】
次に、端末２０は、スケール軸の値に基づく検索領域を確定する（ステップＳ２２）。具体的には、端末２０のシステム制御部２６は、ユーザが操作部２４を使用して検索ボタンを指定した場合、各ノブ６０、６１、６２が示すスケール軸の値に、検索領域４５を確定する。
【００７５】
次に、端末２０は、検索領域に基づく検索クエリを生成する（ステップＳ２３）。具体的には、端末２０のシステム制御部２６は、情報処理サーバ１０から受信した検索キーワード、項目の情報等と共に、検索領域４５に関する情報（各ノブ６０、６１、６２が示すスケール値）から検索クエリを生成する。
【００７６】
次に、端末２０は、検索クエリを送信する（ステップＳ２４）。具体的には、端末２０のシステム制御部２６は、生成した検索クエリを情報処理サーバ１０に送信する。
【００７７】
次に、情報処理サーバ１０は、検索を行う（ステップＳ２５）。具体的には、情報処理サーバ１０のシステム制御部１４は、受信した検索クエリの検索キーワード、項目の情報、および、検索領域４５に関する情報から、検索に必要なスケール軸の値の範囲を特定し、検索領域４５内の各スケール軸の値に対して、検索ＤＢ１２ｃを参照して所定の間隔で検索を行い、検索ＤＢ１２ｃから検索結果としてスニペットやＵＲＬ情報を取得する。
【００７８】
このように情報処理サーバ１０のシステム制御部１４は、平面の４点を取得するために、第１項目のスケール軸における２つのスケール軸の値を取得し、当該２つの各スケール軸の値に対して、第２項目のスケール軸における２つのスケール軸の値を取得するスケール軸値取得手段、取得したスケール軸の値から設定される４点により規定される領域内における第１項目および第２項目のスケール軸の値と、検索キーワードとによる検索を行う検索手段、および、検索の検索結果をウェブページに表示するための表示データを生成する表示データ生成手段の一例として機能する。
【００７９】
次に、情報処理サーバ１０は、検索結果を送信する（ステップＳ２６）。具体的には、情報処理サーバ１０のシステム制御部１４は、リスト化された検索結果を端末２０に送信する。
【００８０】
次に、端末２０は、検索結果を表示する（ステップＳ２７）。具体的には、端末２０のシステム制御部２６は、リスト化された検査結果を表示部２３に表示させる。
【００８１】
以上、本実施形態によれば、取得した検索キーワード（例えば、車）に応じて、スケール軸により表示可能な第１項目および第２項目（例えば、年代、価格）を設定し、検索キーワードと各項目のスケール軸の値とによる検索を行い、検索ヒット件数（検索ヒットの有無）を求め、第１項目のスケール軸および第２項目のスケール軸を２軸とした平面において、各項目のスケール軸の値に応じて、検索ヒット件数（検索ヒット有無）の２次元分布（検索可能領域４０）をウェブページ３０に表示するための表示データを生成することにより、ユーザが検索キーワードを指定すると、検索キーワードに応じた項目が設定され、項目のスケール軸の値に応じた検索ヒット件数（検索ヒットの有無）の様子（検索可能領域４０）が２次元的に表示されるため、インターネット等で情報を検索する際に、各項目のスケール軸の値に応じた検索ヒット件数の有無の様子を見ながら検索の絞り込みができ、ユーザが効率よく検索できる。
【００８２】
また、情報処理サーバ１０が、検索キーワードに応じた第３項目を設定し、スケール軸の値、第２項目のスケール軸の値、および、第３項目の内容に応じて検索ヒット件数の（検索ヒットの有無）を求め、検索ヒット件数（検索ヒットの有無）の２次元分布（検索可能領域４０）を第３項目に応じて領域４０ａ、４０ｂに区分けして表示するための表示データを生成する場合、第３項目の情報により、区分けされるため、ユーザは、第３の項目によってさらに検索ヒット件数（検索ヒットの有無）の状態を把握しやすくになり、検索の絞り込みがしやすくなる。
【００８３】
また、情報処理サーバ１０が、第１項目および第２項目のスケール軸の各値を取得し、平面において、各スケール軸の値に応じて設定される領域内の第１項目および第２項目のスケールの値と、検索キーワードとによる検索を行い、ウェブページ３０に表示するための表示データを生成する場合、ユーザがスケールバーおよびノブにより、値を指定するだけで、検索の絞り込みができる。
【００８４】
また、情報処理サーバ１０が、平面の４点を取得するために、第１項目のスケール軸における２つのスケール軸の値を取得し、当該２つの各スケール軸の値に対して、第２項目のスケール軸における２つのスケール軸の値を取得し、取得したスケール軸の値から設定される４点により規定される領域内における第１項目および第２項目のスケール軸の値と、検索キーワードとによる検索を行い、検索結果をウェブページに表示するための表示データを生成する場合、スケールバー５０、５２、５３およびノブ６０、６１、６２により、ユーザが検索した検索領域４５を指定しやすくなる。
【００８５】
また、情報処理サーバ１０が、項目を、スケール軸により表示可能な他の項目に変更して設定し、検索キーワードと変更された項目のスケール軸の値とによる検索を行い、検索ヒット件数（検索ヒットの有無）を求める場合、異なる視点の他の項目により、検索可能領域が示されるため、ユーザが探している対象にたどり着きやすくなる可能性がある。
【００８６】
なお、図１１に示すように、さらに検索を絞りやすくするために、３つのスケールバー５１、５２、５３により、検索領域４５が指定されもよい。各スケールバー５１、５２、５３のノブ６１、６２により、ユーザが操作部２４により検索領域４５を指定する。例えば、ユーザが、操作部２４により、スケールバー５２のノブ６１を”￥９０万”に移動させ、スケールバー５１のノブ６０を、スケールバー５０上を古い年代の方に移動させた後、スケールバー５１のノブ６１およびノブ６２を移動させ、スケールバー５３のノブ６１を”￥３００万”に移動させ、検索領域４５を指定する。この場合、検索ヒット件数がゼロの領域４１を避けやすくなる。なお、第２項目のスケールバーの数は３本に限らず、さらに多くてもよい。また、第１項目のスケールバー２本と、第２項目のスケールバー２本により囲まれる領域により、検索領域を指定してもよい。
【００８７】
また、図１２に示すように、検索可能領域４０において、ユーザが操作部２４によりポインタ７０で指定した点を含む、所定の検索領域７５が指定されてもよい。例えば、操作部２４のマウスにより、ポインタ７０で検索可能領域４０を示すと、ポインタ７０が示す点を中心とした円の検索領域７５が表示され、マウスによりクリックされると、検索領域７５が確定されるようにしてもよい。ポインタ７０が示す点の座標から、第１項目のスケール軸の値および第２項目のスケール軸の値の組みが特定され、そして、円の検索領域７５内の第１項目のスケール軸の値および第２項目のスケール軸の値の組みも特定される。
【００８８】
また、図１３に示すように、ユーザが操作部２４により、スケールバー５７を移動させた場合、移動に従い、スケールバー５７が位置する年代において、検索ヒット件数が所定以上（例えば、ゼロ件や１０件等）である、年齢の上限および下限がノブ６１、６２により示されるようにしてもよい。このとき、スケールバー５７が示す年代において、最大の検索ヒット件数を示す年齢のところに、印５５”×”が示される。なお、第１項目は、携帯電話の年代であり、第２項目は、携帯電話を購入した年齢であり、検索ＤＢ１２ｃを参照して検索して、表示させた場合の例である。
【００８９】
なお、ステップＳ５で決定されるスケール軸の項目は１つでもよく、例えば、項目”価格”の場合、スケールバー５１のみ表示されて、スケールバー５１上に、グラフィカルに検索ヒット件数を示す情報が表示される。例えば、図７に示すように、ノブ６１、ノブ６２により、検索可能なところの上限値および下限値を示し、最大値を印５５”×”により表す。
【００９０】
なお、情報処理サーバ１０が、検索を行う際、ネットワーク３を介して、外部の検索サーバに検索要求をして、検索ヒット件数や検索結果を取得してもよい。
【００９１】
さらに、本発明は、上記各実施形態に限定されるものではない。上記各実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【００９２】
３：ネットワーク
１０：情報処理サーバ（情報処理装置）
１２：記憶部
１２ａ：項目ＤＢ
１２ｂ：スケールバーＤＢ
１２ｃ：検索ＤＢ
１４：システム制御部
２０：端末
２３：表示部
２４：操作部
２６：システム制御部
【図１】
2011149103.tif 000003
【図２】
2011149103.tif 000004
【図３】
2011149103.tif 000005
【図４】
2011149103.tif 000006
【図５】
2011149103.tif 000007
【図６】
2011149103.tif 000008
【図７】
2011149103.tif 000009
【図８】
2011149103.tif 000010
【図９】
2011149103.tif 000011
【図１０】
2011149103.tif 000012
【図１１】
2011149103.tif 000013
【図１２】
2011149103.tif 000014
【図１３】
2011149103.tif 000015
【手続補正書】
【提出日】平成24年7月10日(2012.7.10)
【手続補正１】
【補正対象書類名】特許請求の範囲
【補正対象項目名】全文
【補正方法】変更
【補正の内容】
【特許請求の範囲】
【請求項１】
端末装置から検索キーワードを取得する検索キーワード取得手段と、
前記検索キーワードに応じて、スケール軸により表示可能な第１項目および第２項目を設定する項目設定手段と、
前記検索キーワードによる検索を行う検索手段と、
前記第１項目のスケール軸および第２項目のスケール軸を２軸とした平面において、前記各項目のスケール軸の値に応じて、前記検索における所定件数以上の検索ヒット件数を示す２次元分布をウェブページに表示するための第１表示データを生成する第１表示データ生成手段と、
前記生成された第１表示データを前記端末装置に送信する送信手段と、
前記表示された２次元分布に対して、前記端末装置のユーザにより指定された指定領域に関する情報を前記端末装置から取得する指定領域取得手段と、
前記指定領域に属する前記検索の検索結果を前記端末装置に表示させるべくリスト化された検索結果としての第２表示データを、前記端末装置に送信する検索結果送信手段と、
を備えたことを特徴とする情報処理装置。
【請求項２】
請求項１に記載の情報処理装置において、
前記平面において３点以上の複数点を設定するために、前記第１項目および第２項目のスケール軸の各値を取得するスケール軸値取得手段を更に備え、
前記指定領域取得手段が、前記取得したスケール軸の各値から設定される前記複数点により前記平面において規定される指定領域に関する情報を前記端末装置から取得することを特徴とする情報処理装置。
【請求項３】
情報処理装置が情報処理をする情報処理方法において、
検索キーワードを取得する検索キーワード取得ステップと、
前記検索キーワードに応じて、スケール軸により表示可能な第１項目および第２項目を設定する項目設定ステップと、
前記検索キーワードによる検索を行う検索ステップと、
前記第１項目のスケール軸および第２項目のスケール軸を２軸とした平面において、前記各項目のスケール軸の値に応じて、前記検索における所定件数以上の検索ヒット件数を示す２次元分布をウェブページに表示するための第１表示データを生成する第１表示データ生成ステップと、
前記生成された第１表示データを前記端末装置に送信する送信ステップと、
前記表示された２次元分布に対して、前記端末装置のユーザにより指定された指定領域に関する情報を前記端末装置から取得する指定領域取得ステップと、
前記指定領域に属する前記検索の検索結果を前記端末装置に表示させるべくリスト化された検索結果としての第２表示データを、前記端末装置に送信する検索結果送信ステップと、
を有することを特徴とする情報処理方法。
【請求項４】
コンピュータに、
検索キーワードを取得する検索キーワード取得手段、
前記検索キーワードに応じて、スケール軸により表示可能な第１項目および第２項目を設定する項目設定手段、
前記検索キーワードによる検索を行う検索手段、
前記第１項目のスケール軸および第２項目のスケール軸を２軸とした平面において、前記各項目のスケール軸の値に応じて、前記検索における所定件数以上の検索ヒット件数を示す２次元分布をウェブページに表示するための第１表示データを生成する第１表示データ生成手段、
前記生成された第１表示データを前記端末装置に送信する送信手段、
前記表示された２次元分布に対して、前記端末装置のユーザにより指定された指定領域に関する情報を前記端末装置から取得する指定領域取得手段、および、
前記指定領域に属する前記検索の検索結果を前記端末装置に表示させるべくリスト化された検索結果としての第２表示データを、前記端末装置に送信する検索結果送信手段として機能させることを特徴とする情報処理プログラム。
【手続補正２】
【補正対象書類名】明細書
【補正対象項目名】０００６
【補正方法】変更
【補正の内容】
【０００６】
上記課題を解決するために、請求項１に記載の発明は、端末装置から検索キーワードを取得する検索キーワード取得手段と、前記検索キーワードに応じて、スケール軸により表示可能な第１項目および第２項目を設定する項目設定手段と、前記検索キーワードによる検索を行う検索手段と、前記第１項目のスケール軸および第２項目のスケール軸を２軸とした平面において、前記各項目のスケール軸の値に応じて、前記検索における所定件数以上の検索ヒット件数を示す２次元分布をウェブページに表示するための第１表示データを生成する第１表示データ生成手段と、前記生成された第１表示データを前記端末装置に送信する送信手段と、前記表示された２次元分布に対して、前記端末装置のユーザにより指定された指定領域に関する情報を前記端末装置から取得する指定領域取得手段と、前記指定領域に属する前記検索の検索結果を前記端末装置に表示させるべくリスト化された検索結果としての第２表示データを、前記端末装置に送信する検索結果送信手段と、を備えたことを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
請求項２に記載の発明は、請求項１に記載の情報処理装置において、前記平面において３点以上の複数点を設定するために、前記第１項目および第２項目のスケール軸の各値を取得するスケール軸値取得手段を更に備え、前記指定領域取得手段が、前記取得したスケール軸の各値から設定される前記複数点により前記平面において規定される指定領域に関する情報を前記端末装置から取得することを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
請求項３に記載の発明は、情報処理装置が情報処理をする情報処理方法において、検索キーワードを取得する検索キーワード取得ステップと、前記検索キーワードに応じて、スケール軸により表示可能な第１項目および第２項目を設定する項目設定ステップと、前記検索キーワードによる検索を行う検索ステップと、前記第１項目のスケール軸および第２項目のスケール軸を２軸とした平面において、前記各項目のスケール軸の値に応じて、前記検索における所定件数以上の検索ヒット件数を示す２次元分布をウェブページに表示するための第１表示データを生成する第１表示データ生成ステップと、前記生成された第１表示データを前記端末装置に送信する送信ステップと、前記表示された２次元分布に対して、前記端末装置のユーザにより指定された指定領域に関する情報を前記端末装置から取得する指定領域取得ステップと、前記指定領域に属する前記検索の検索結果を前記端末装置に表示させるべくリスト化された検索結果としての第２表示データを、前記端末装置に送信する検索結果送信ステップと、を有することを特徴とする。
【手続補正９】
【補正対象書類名】明細書
【補正対象項目名】００１３
【補正方法】変更
【補正の内容】
【００１３】
請求項４に記載の発明は、コンピュータに、検索キーワードを取得する検索キーワード取得手段、前記検索キーワードに応じて、スケール軸により表示可能な第１項目および第２項目を設定する項目設定手段、前記検索キーワードによる検索を行う検索手段、前記第１項目のスケール軸および第２項目のスケール軸を２軸とした平面において、前記各項目のスケール軸の値に応じて、前記検索における所定件数以上の検索ヒット件数を示す２次元分布をウェブページに表示するための第１表示データを生成する第１表示データ生成手段、前記生成された第１表示データを前記端末装置に送信する送信手段、前記表示された２次元分布に対して、前記端末装置のユーザにより指定された指定領域に関する情報を前記端末装置から取得する指定領域取得手段、および、前記指定領域に属する前記検索の検索結果を前記端末装置に表示させるべくリスト化された検索結果としての第２表示データを、前記端末装置に送信する検索結果送信手段として機能させることを特徴とする。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
本発明によれば、ユーザが検索キーワードを指定すると、検索キーワードに応じた項目が設定され、項目のスケール軸の値に応じた検索ヒット件数の様子が２次元的に表示されるため、インターネット等で情報を検索する際に、各項目のスケール軸の値に応じた検索ヒット件数の様子を見ながら検索の絞り込みができ、ユーザが効率よく検索できる。
【手続補正書】
【提出日】平成24年10月4日(2012.10.4)
【手続補正１】
【補正対象書類名】特許請求の範囲
【補正対象項目名】全文
【補正方法】変更
【補正の内容】
【特許請求の範囲】
【請求項１】
端末装置から検索キーワードを取得する検索キーワード取得手段と、
前記検索キーワードに応じて、スケール軸により表示可能な第１項目および第２項目を設定する項目設定手段と、
前記検索キーワードによる検索を行う検索手段と、
前記第１項目のスケール軸および第２項目のスケール軸を２軸とした平面において、前記各項目のスケール軸の値に応じて、前記検索における所定件数以上の検索ヒット件数を示す２次元分布をウェブページに表示するための第１表示データを生成する第１表示データ生成手段と、
前記生成された第１表示データを前記端末装置に送信する送信手段と、
前記表示された２次元分布に対して、前記端末装置のユーザにより指定された指定領域に関する情報を前記端末装置から取得する指定領域取得手段と、
前記指定領域に属する前記検索の検索結果を前記端末装置に表示させるべくリスト化された検索結果としての第２表示データを、前記端末装置に送信する検索結果送信手段と、
前記平面において３点以上の複数点を設定するために、前記第１項目および第２項目のスケール軸の各値を取得するスケール軸値取得手段と、
を備え、
前記指定領域取得手段が、前記取得したスケール軸の各値から設定される前記複数点により前記平面において規定される指定領域に関する情報を前記端末装置から取得することを特徴とする情報処理装置。
【請求項２】
請求項１に記載の情報処理装置において、
前記スケール軸値取得手段が、前記端末装置のユーザの操作によって前記スケール軸上を移動し前記スケール軸の値を指定するノブが示す位置から、前記第１項目および第２項目のスケール軸の各値を取得することを特徴とする情報処理装置。
【請求項３】
情報処理装置が情報処理をする情報処理方法において、
検索キーワードを取得する検索キーワード取得ステップと、
前記検索キーワードに応じて、スケール軸により表示可能な第１項目および第２項目を設定する項目設定ステップと、
前記検索キーワードによる検索を行う検索ステップと、
前記第１項目のスケール軸および第２項目のスケール軸を２軸とした平面において、前記各項目のスケール軸の値に応じて、前記検索における所定件数以上の検索ヒット件数を示す２次元分布をウェブページに表示するための第１表示データを生成する第１表示データ生成ステップと、
前記生成された第１表示データを前記端末装置に送信する送信ステップと、
前記表示された２次元分布に対して、前記端末装置のユーザにより指定された指定領域に関する情報を前記端末装置から取得する指定領域取得ステップと、
前記指定領域に属する前記検索の検索結果を前記端末装置に表示させるべくリスト化された検索結果としての第２表示データを、前記端末装置に送信する検索結果送信ステップと、
前記平面において３点以上の複数点を設定するために、前記第１項目および第２項目のスケール軸の各値を取得するスケール軸値取得ステップと、
を有し、
前記指定領域取得ステップにおいて、前記取得したスケール軸の各値から設定される前記複数点により前記平面において規定される指定領域に関する情報を前記端末装置から取得することを特徴とする情報処理方法。
【請求項４】
コンピュータに、
検索キーワードを取得する検索キーワード取得手段、
前記検索キーワードに応じて、スケール軸により表示可能な第１項目および第２項目を設定する項目設定手段、
前記検索キーワードによる検索を行う検索手段、
前記第１項目のスケール軸および第２項目のスケール軸を２軸とした平面において、前記各項目のスケール軸の値に応じて、前記検索における所定件数以上の検索ヒット件数を示す２次元分布をウェブページに表示するための第１表示データを生成する第１表示データ生成手段、
前記生成された第１表示データを前記端末装置に送信する送信手段、
前記表示された２次元分布に対して、前記端末装置のユーザにより指定された指定領域に関する情報を前記端末装置から取得する指定領域取得手段、
前記指定領域に属する前記検索の検索結果を前記端末装置に表示させるべくリスト化された検索結果としての第２表示データを、前記端末装置に送信する検索結果送信手段、および、
前記平面において３点以上の複数点を設定するために、前記第１項目および第２項目のスケール軸の各値を取得するスケール軸値取得手段として機能させ、
前記指定領域取得手段が、前記取得したスケール軸の各値から設定される前記複数点により前記平面において規定される指定領域に関する情報を前記端末装置から取得することを特徴とする情報処理プログラム。
【手続補正２】
【補正対象書類名】明細書
【補正対象項目名】０００６
【補正方法】変更
【補正の内容】
【０００６】
上記課題を解決するために、請求項１に記載の発明は、端末装置から検索キーワードを取得する検索キーワード取得手段と、前記検索キーワードに応じて、スケール軸により表示可能な第１項目および第２項目を設定する項目設定手段と、前記検索キーワードによる検索を行う検索手段と、前記第１項目のスケール軸および第２項目のスケール軸を２軸とした平面において、前記各項目のスケール軸の値に応じて、前記検索における所定件数以上の検索ヒット件数を示す２次元分布をウェブページに表示するための第１表示データを生成する第１表示データ生成手段と、前記生成された第１表示データを前記端末装置に送信する送信手段と、前記表示された２次元分布に対して、前記端末装置のユーザにより指定された指定領域に関する情報を前記端末装置から取得する指定領域取得手段と、前記指定領域に属する前記検索の検索結果を前記端末装置に表示させるべくリスト化された検索結果としての第２表示データを、前記端末装置に送信する検索結果送信手段と、前記平面において３点以上の複数点を設定するために、前記第１項目および第２項目のスケール軸の各値を取得するスケール軸値取得手段と、を備え、前記指定領域取得手段が、前記取得したスケール軸の各値から設定される前記複数点により前記平面において規定される指定領域に関する情報を前記端末装置から取得することを特徴とする。
【手続補正３】
【補正対象書類名】明細書
【補正対象項目名】０００８
【補正方法】変更
【補正の内容】
【０００８】
請求項２に記載の発明は、請求項１に記載の情報処理装置において、前記スケール軸値取得手段が、前記端末装置のユーザの操作によって前記スケール軸上を移動し前記スケール軸の値を指定するノブが示す位置から、前記第１項目および第２項目のスケール軸の各値を取得することを特徴とする。
【手続補正４】
【補正対象書類名】明細書
【補正対象項目名】００１２
【補正方法】変更
【補正の内容】
【００１２】
請求項３に記載の発明は、情報処理装置が情報処理をする情報処理方法において、検索キーワードを取得する検索キーワード取得ステップと、前記検索キーワードに応じて、スケール軸により表示可能な第１項目および第２項目を設定する項目設定ステップと、前記検索キーワードによる検索を行う検索ステップと、前記第１項目のスケール軸および第２項目のスケール軸を２軸とした平面において、前記各項目のスケール軸の値に応じて、前記検索における所定件数以上の検索ヒット件数を示す２次元分布をウェブページに表示するための第１表示データを生成する第１表示データ生成ステップと、前記生成された第１表示データを前記端末装置に送信する送信ステップと、前記表示された２次元分布に対して、前記端末装置のユーザにより指定された指定領域に関する情報を前記端末装置から取得する指定領域取得ステップと、前記指定領域に属する前記検索の検索結果を前記端末装置に表示させるべくリスト化された検索結果としての第２表示データを、前記端末装置に送信する検索結果送信ステップと、前記平面において３点以上の複数点を設定するために、前記第１項目および第２項目のスケール軸の各値を取得するスケール軸値取得ステップと、を有し、前記指定領域取得ステップにおいて、前記取得したスケール軸の各値から設定される前記複数点により前記平面において規定される指定領域に関する情報を前記端末装置から取得することを特徴とする。
【手続補正５】
【補正対象書類名】明細書
【補正対象項目名】００１３
【補正方法】変更
【補正の内容】
【００１３】
請求項４に記載の発明は、コンピュータに、検索キーワードを取得する検索キーワード取得手段、前記検索キーワードに応じて、スケール軸により表示可能な第１項目および第２項目を設定する項目設定手段、前記検索キーワードによる検索を行う検索手段、前記第１項目のスケール軸および第２項目のスケール軸を２軸とした平面において、前記各項目のスケール軸の値に応じて、前記検索における所定件数以上の検索ヒット件数を示す２次元分布をウェブページに表示するための第１表示データを生成する第１表示データ生成手段、前記生成された第１表示データを前記端末装置に送信する送信手段、前記表示された２次元分布に対して、前記端末装置のユーザにより指定された指定領域に関する情報を前記端末装置から取得する指定領域取得手段、前記指定領域に属する前記検索の検索結果を前記端末装置に表示させるべくリスト化された検索結果としての第２表示データを、前記端末装置に送信する検索結果送信手段、および、前記平面において３点以上の複数点を設定するために、前記第１項目および第２項目のスケール軸の各値を取得するスケール軸値取得手段として機能させ、前記指定領域取得手段が、前記取得したスケール軸の各値から設定される前記複数点により前記平面において規定される指定領域に関する情報を前記端末装置から取得することを特徴とする。
【国際調査報告】
2011149103.tif 000016
2011149103.tif 000017
2011149103.tif 000018